(57)【要約】  【課題】  可変サイズの複数のファイルデータを記録媒体の記録領域に記録する場合でも、簡単な処理で、当該記録領域を効率的に利用できるデータ処理装置を提供する。  【解決手段】  書込装置が、無線タグのメモリの記録領域内のファイルデータ領域１０２内の第１のアドレスＡから、第２のアドレスＢに向けて複数の可変サイズのファイルデータを順に書き込む。また、書込装置１１は、上記複数のファイルデータの各々に対応して規定され対応するファイルデータのファイルデータ領域内の記録アドレスをそれぞれ示し固定サイズの複数のファイル属性データを第２のアドレスＢから第１のアドレスＡに向けて規定されたファイル属性領域１２０＿ｎに順に書き込む。  【選択図】  図６
2005063038.tif 000002
【特許請求の範囲】
【請求項１】
記録媒体の記録領域の第１のアドレスから第２のアドレスに向けて複数の可変サイズの記録データを順に書き込み、前記複数の記録データの各々に対応して規定され前記対応する記録データの前記記録領域内の記録アドレスをそれぞれ示し固定サイズの複数の属性データを、前記第２のアドレスから前記第１のアドレスに向けて順に書き込む書き込み手段
を有するデータ処理装置。
【請求項２】
前記書き込み手段は、前記記録領域に既に記録されている第１の識別データによって識別される前記記録データを、前記第１の識別データとは異なる第２の識別データによってさらに識別するために、前記第２の識別データと前記記録データに対しての参照データとを対応付けて前記記録領域に書き込む
請求項１に記載のデータ処理装置。
【請求項３】
前記書き込み手段は、前記記録データあるいは前記属性データの一部として、当該記録データが圧縮されているか否かを示す圧縮有無データを前記記録領域に書き込む
請求項１に記載のデータ処理装置。
【請求項４】
前記書き込み手段は、前記記録データが圧縮されている場合に、前記記録データあるいは前記属性データの一部として、前記圧縮する前の前記記録データのサイズと前記圧縮した後の前記記録データのサイズとを前記記録領域に書き込む
請求項１に記載のデータ処理装置。
【請求項５】
前記書き込み手段は、前記記録データを前記記録領域に書き込んだ後に、当該記録データに対応する前記属性データを前記記録領域に書き込む
請求項１に記載のデータ処理装置。
【請求項６】
前記書き込み手段は、前記記録媒体の前記記録領域内の連続した前記アドレスに順に前記複数の記録データを書き込み、
前記記録媒体は、前記書き込まれた記録データの消去を前記記録領域全体に対しての一括消去によって行われる記録媒体である
請求項１に記載のデータ処理装置。
【請求項７】
前記第１のアドレスは、前記記録領域の始端アドレスおよび終端アドレスのうち何れか一方のアドレスであり、
前記第２のアドレスは、前記記録領域の前記始端アドレスおよび前記終端アドレスのうち一方のアドレスである
請求項１に記載のデータ処理装置。
【請求項８】
記録媒体の記録領域の第１のアドレスから第２のアドレスに向けて複数の可変サイズの記録データを順に書き込む第１の工程と、
前記第１の工程で前記記録領域に書き込んだ複数の前記記録データの各々に対応して規定され前記対応する記録データの前記記録領域内の記録アドレスをそれぞれ示し固定サイズの複数の属性データを、前記第２のアドレスから前記第１のアドレスに向けて順に書き込む第２の工程と
を有するデータ処理方法。
【請求項９】
記録媒体の記録領域の第１のアドレスから第２のアドレスに向けて複数の可変サイズの記録データを順に書き込む第１の手順と、
前記複数の記録データの各々に対応して規定され前記対応する記録データの前記記録領域内の記録アドレスをそれぞれ示し固定サイズの複数の属性データを、前記第２のアドレスから前記第１のアドレスに向けて順に書き込む第２の手順と
をデータ処理装置に実行させるプログラム。
【請求項１０】
第１のアドレスから第２のアドレスに向けて複数の可変サイズの記録データが順に記録され、前記複数の記録データの各々に対応して規定され前記対応する記録データの前記記録領域内の記録アドレスをそれぞれ示し固定サイズの複数の属性データが前記第２のアドレスから前記第１のアドレスに向けて順に記録された記録媒体の記録領域から読み出しを行うデータ処理装置であって、
前記第２のアドレスと前記固定サイズとを基に読み出し要求に係わる前記属性データを前記記録領域から読み出し、当該読み出した前記属性データが示す前記記録アドレスを基に前記読み出し要求に係わる前記記録データを前記記録領域から読み出す読み出し手段
を有するデータ処理装置。
【請求項１１】
前記記録領域に既に記録されている第１の識別データによって識別される前記記録データを、前記第１の識別データとは異なる第２の識別データによってさらに識別するために、前記第２の識別データと、前記記録データに対しての参照データをさらに示す前記属性データとが対応付けて前記記録領域に記録されている場合に、
前記読み出し手段は、前記第２の識別データを指定した読み出し要求に応じて、当該第２の識別データに対応する前記属性データを前記記録領域から読み出し、当該読み出した属性データが示す前記参照データを基に前記記録領域から前記記録データを読み出す
請求項１０に記載のデータ処理装置。
【請求項１２】
前記記録データあるいは前記属性データの一部として、当該記録データが圧縮されているか否かを示す圧縮有無データが前記記録領域にさらに記録されている場合に、
前記読み出し手段は、前記記録領域から読み出した前記記録データに対応する前記圧縮有無データを基に、当該読み出した記録データを伸張するか否かを決定する
請求項１０に記載のデータ処理装置。
【請求項１３】
第１のアドレスから第２のアドレスに向けて複数の可変サイズの記録データが順に記録され、前記複数の記録データの各々に対応して規定され前記対応する記録データの前記記録領域内の記録アドレスをそれぞれ示し固定サイズの複数の属性データが前記第２のアドレスから前記第１のアドレスに向けて順に記録された記録媒体の記録領域から読み出しを行うデータ処理方法であって、
前記第２のアドレスと前記固定サイズとを基に読み出し要求に係わる前記属性データを前記記録領域から読み出す第１の工程と、
前記第１の工程で読み出した前記属性データが示す前記記録アドレスを基に前記読み出し要求に係わる前記記録データを前記記録領域から読み出す第２の工程と
を有するデータ処理方法。
【請求項１４】
第１のアドレスから第２のアドレスに向けて複数の可変サイズの記録データが順に記録され、前記複数の記録データの各々に対応して規定され前記対応する記録データの前記記録領域内の記録アドレスをそれぞれ示し固定サイズの複数の属性データが前記第２のアドレスから前記第１のアドレスに向けて順に記録された記録媒体の記録領域から読み出しを行うデータ処理装置によって実行されるプログラムであって、
前記第２のアドレスと前記固定サイズとを基に前記読み出し要求に係わる前記属性データを前記記録領域から読み出す第１の手順と、
前記第１の手順で読み出した前記属性データが示す前記記録アドレスを基に前記読み出し要求に係わる前記記録データを前記記録領域から読み出す第２の手順と
を前記データ処理装置に実行させるプログラム。
【請求項１５】
データ処理装置によってデータが読み出される記録媒体であって、
第１のアドレスから第２のアドレスに向けて順に複数の可変サイズの記録データが順に記録され、
前記複数の記録データの各々に対応して規定され前記対応する記録データの前記記録領域内の記録アドレスをそれぞれ示し固定サイズの複数の属性データが前記第２のアドレスから前記第１のアドレスに向けて順に記録された
記録媒体。
【発明の詳細な説明】
【技術分野】
【０００１】
本発明は、記録媒体の記録領域の有効利用を図るデータ処理装置、その方法、そのプログラムおよび記録媒体に関する。
【背景技術】
【０００２】
近年、ＲＦＩＤ（Radio frequency IDentification）技術の進歩により、無線でデータ授受が可能で電源が不要なＲＦＩＤタグ（無線タグ）を物流のみならず様々な情報提供手段として利用する手法が提案されている。
例えば、無線タグをポスターなどに貼り付け、無線タグに記録されたファイルデータを携帯電話やＰＤＡなどの端末装置によって無線で読み取るシステムが提案されている。
【特許文献１】特開２００３−８５４９４号公報
【発明の開示】
【発明が解決しようとする課題】
【０００３】
ところで、無線タグのメモリの記録容量は、小規模化および低価格化を実現するために、一般的な通信機器に用いられているメモリに比べて非常に小さい。
その一方、無線タグに可変サイズの複数のファイルデータを記録させたいという要請がある。
パーソナルコンピュータなどで採用されているファイルシステムを無線タグを用いたシステムに採用すれば、可変サイズのファイルデータの追加や削除を繰り返す際に発生した空き領域の断片を回収して再利用するなどの処理を行い、無線タグのメモリの記録領域を有効利用できる。
しかしながら、このようなファイルシステムを無線タグを用いたシステムに適用することは、上記端末装置の処理能力、並びに無線タグの記録容量などとの関係で困難であるという問題がある。
上述したファイルシステムを採用できない他のシステムにおいても同様の問題がある。
【０００４】
本発明は上述した従来技術に鑑みて成され、可変サイズの複数のファイルデータ（記録データ）を記録媒体の記録領域に記録する場合でも、簡単な処理で、当該記録領域を効率的に利用できるデータ処理装置、その方法、そのプログラムおよび記録媒体を提供することを目的とする。
【課題を解決するための手段】
【０００５】
上述した従来技術の問題点を解決するために、第１の発明のデータ処理装置は、記録媒体の記録領域の第１のアドレスから第２のアドレスに向けて複数の可変サイズの記録データを順に書き込み、前記複数の記録データの各々に対応して規定され前記対応する記録データの前記記録領域内の記録アドレスをそれぞれ示し固定サイズの複数の属性データを、前記第２のアドレスから前記第１のアドレスに向けて順に書き込む書き込み手段を有する。
【０００６】
第１の発明のデータ処理装置の作用は以下のようになる。
書き込み手段が、記録媒体の記録領域の第１のアドレスから第２のアドレスに向けて複数の可変サイズの記録データを順に書き込む。
そして、前記書き込み手段が、前記複数の記録データの各々に対応して規定され前記対応する記録データの前記記録領域内の記録アドレスをそれぞれ示し固定サイズの複数の属性データを、前記第２のアドレスから前記第１のアドレスに向けて順に書き込む。
なお、前記属性データに、前記記録データを前記記録領域に書き込んでもよい。
【０００７】
第２の発明のデータ処理方法は、記録媒体の記録領域の第１のアドレスから第２のアドレスに向けて複数の可変サイズの記録データを順に書き込む第１の工程と、前記第１の工程で前記記録領域に書き込んだ複数の前記記録データの各々に対応して規定され前記対応する記録データの前記記録領域内の記録アドレスをそれぞれ示し固定サイズの複数の属性データを、前記第２のアドレスから前記第１のアドレスに向けて順に書き込む第２の工程とを有する。
【０００８】
第３の発明のプログラムは、記録媒体の記録領域の第１のアドレスから第２のアドレスに向けて複数の可変サイズの記録データを順に書き込む第１の手順と、前記複数の記録データの各々に対応して規定され前記対応する記録データの前記記録領域内の記録アドレスをそれぞれ示し固定サイズの複数の属性データを、前記第２のアドレスから前記第１のアドレスに向けて順に書き込む第２の手順とをデータ処理装置に実行させる。
【０００９】
第４の発明のデータ処理装置は、第１のアドレスから第２のアドレスに向けて複数の可変サイズの記録データが順に記録され、前記複数の記録データの各々に対応して規定され前記対応する記録データの前記記録領域内の記録アドレスをそれぞれ示し固定サイズの複数の属性データが前記第２のアドレスから前記第１のアドレスに向けて順に記録された記録媒体の記録領域から読み出しを行うデータ処理装置であって、前記第２のアドレスと前記固定サイズとを基に読み出し要求に係わる前記属性データを前記記録領域から読み出し、当該読み出した前記属性データが示す前記記録アドレスを基に前記読み出し要求に係わる前記記録データを前記記録領域から読み出す読み出し手段を有する。
【００１０】
第４の発明のデータ処理装置の作用は以下のようになる。
読み出し手段が、前記第２のアドレスと前記固定サイズとを基に読み出し要求に係わる前記属性データを前記記録領域から読み出す。
そして、前記読み出し手段が、当該読み出した前記属性データが示す前記記録アドレスを基に前記読み出し要求に係わる前記記録データを前記記録領域から読み出す。
【００１１】
第５の発明のデータ処理方法は、第１のアドレスから第２のアドレスに向けて複数の可変サイズの記録データが順に記録され、前記複数の記録データの各々に対応して規定され前記対応する記録データの前記記録領域内の記録アドレスをそれぞれ示し固定サイズの複数の属性データが前記第２のアドレスから前記第１のアドレスに向けて順に記録された記録媒体の記録領域から読み出しを行うデータ処理方法であって、前記第２のアドレスと前記固定サイズとを基に読み出し要求に係わる前記属性データを前記記録領域から読み出す第１の工程と、前記第１の工程で読み出した前記属性データが示す前記記録アドレスを基に前記読み出し要求に係わる前記記録データを前記記録領域から読み出す第２の工程とを有する。
【００１２】
第６の発明のプログラムは、第１のアドレスから第２のアドレスに向けて複数の可変サイズの記録データが順に記録され、前記複数の記録データの各々に対応して規定され前記対応する記録データの前記記録領域内の記録アドレスをそれぞれ示し固定サイズの複数の属性データが前記第２のアドレスから前記第１のアドレスに向けて順に記録された記録媒体の記録領域から読み出しを行うデータ処理装置によって実行されるプログラムであって、前記第２のアドレスと前記固定サイズとを基に前記読み出し要求に係わる前記属性データを前記記録領域から読み出す第１の手順と、前記第１の手順で読み出した前記属性データが示す前記記録アドレスを基に前記読み出し要求に係わる前記記録データを前記記録領域から読み出す第２の手順とを前記データ処理装置に実行させる。
【００１３】
第７の発明の記録媒体は、データ処理装置によってデータが読み出される記録媒体であって、第１のアドレスから第２のアドレスに向けて順に複数の可変サイズの記録データが順に記録され、前記複数の記録データの各々に対応して規定され前記対応する記録データの前記記録領域内の記録アドレスをそれぞれ示し固定サイズの複数の属性データが前記第２のアドレスから前記第１のアドレスに向けて順に記録されている。
【発明の効果】
【００１４】
本発明によれば、可変サイズの複数の記録データを記録媒体の記録領域に記録する場合でも、簡単な処理で、当該記録領域を効率的に利用できるデータ処理装置、その方法、そのプログラムおよび記録媒体を提供することができる。
【発明を実施するための最良の形態】
【００１５】
以下、図１〜図１６を参照して本発明の実施形態について説明する。
図１は、本発明の実施形態に係わるデータ配信システム１の全体構成図である。
図１に示すように、データ配信システム１では、例えば、コンピュータ１２が生成したＨＴＭＬ(Hypertext Markup Language) などの複数の可変サイズのファイルデータを書込装置１１を介して無線で無線タグ１０に書き込む。
そして、無線タグ１０をポスター１８などに貼り付ける。
そして、携帯型の端末装置１５が、無線タグ１０から上記ファイルデータを無線で読み出し、例えば、端末装置１５のディスプレイに当該ファイルデータに応じた画像を表示する。
端末装置１５は、例えば、携帯電話やＰＤＡ(Personal Digital Assistant)などである。
【００１６】
先ず、本発明の各構成と本実施形態の構成との対応関係を説明する。
図２に示すメモリ３５が本発明の記録媒体に対応し、図３に示す記録領域が本発明の記録領域に対応している。
また、本実施形態の図４に示すファイル領域１４２に記録されるファイルデータが本発明の記録データに対応している。
また、図６に示すファイル属性領域１２０＿ｎ（ｎは１以上の整数）に記録されるファイル属性データが、本発明の属性データに対応している。
また、図７に示すファイル位置指定領域１２１に記録されるアドレスが、本発明の記録アドレスに対応している。
また、図４に示すように、ファイル領域１４２に記録されるファイルデータと共に、ファイル名領域１４１に記録されるファイル名データが本発明の第１の識別データに対応し、ショートカットの場合に、ファイル名領域１４１に記録されるファイル名データが本発明の第２の識別データに対応している。ショートカットの場合には、ファイル領域１４２にはファイルデータは記録されない。
【００１７】
また、図６に示す第１のアドレスＡが本発明の第１のアドレスに対応し、第２のアドレスＢが本発明の第２のアドレスに対応している。
本実施形態において、第１のアドレスＡは図６に示す上記記録領域において、その先頭アドレスから規定されたタグ管理領域１０１に続くファイルデータ領域１０２の先頭アドレスを示している。
また、第２のアドレスＢは、図６に示す上記記録領域において、その末尾アドレスから順に規定されたパリティ領域１１４、予約領域１１３、空き領域指示領域１１２、ファイル個数領域１１１および分類種別領域１１５に続く領域の上記末尾アドレス側のアドレスを示している。
【００１８】
また、図８に示す処理部２５が第１の発明の書き込み手段に対応し、図８に示すプログラムＰＲＧ１が第３の発明のプログラムに対応している。
図１４に示す処理部４５が第４の発明の読み出し手段に対応し、図１４に示すプログラムＰＲＧ２が第６の発明のプログラムに対応している。
また、図２に示すメモリ３５が本発明の記録媒体に対応している。
【００１９】
次に、データ配信システム１の概要を説明する。
データ配信システム１では、書込装置１１が、図２に示す無線タグ１０のメモリ３５の図６に示す記録領域内のファイルデータ領域１０２内の第１のアドレスＡから、第２のアドレスＢに向けて複数の可変サイズのファイルデータ（本発明の記録データ）を順に書き込む。
また、書込装置１１が、上記複数のファイルデータの各々に対応して規定され対応するファイルデータのファイルデータ領域１０２内の記録アドレスをそれぞれ示し固定サイズの複数のファイル属性データを第２のアドレスＢから第１のアドレスＡに向けて規定されたファイル属性領域１２０＿ｎに順に書き込む。
端末装置１５は、第２のアドレスＢと上記固定サイズとを基に、読み出し要求に係わるファイル属性データをファイル属性領域１２０＿ｎから読み出し、当該読み出したファイル属性データが示す上記記録アドレスを基に上記読み出し要求に係わるファイルデータをファイルデータ領域１０２から読み出す。
本実施形態において、書込装置１１および端末装置１５は、第１のアドレスＡおよび第２のアドレスＢに関する情報を取得している。
【００２０】
これにより、データ配信システム１によれば、無線タグ１０のメモリ３５の記録領域を、ファイルデータ等の不確定な可変サイズの影響を受けずに、常に効率的に利用できる。
また、ファイル属性データは第２のアドレスＢから第１のアドレスＡに向けて記録され、しかも固定サイズであるため、後述する端末装置１５は、従来技術で説明したコンピュータなどに採用される複雑なファイルシステムを使用しなくても、ファイル属性データのアドレスを簡単な処理で特定し、当該特定したファイル属性データを基にファイルデータのアドレスを簡単な処理で特定できる。
そのため、データ配信システム１によれば、従来に比べて、ファイル管理に伴う処理量、並びにそれに必要なデータ量を削減できる。
【００２１】
〔無線タグ１０〕
図２は、図１に示す無線タグ１０の構成図である。
図２に示すように、無線タグ１０は、例えば、アンテナ３１、ＲＦ(Radiop Freqency)
部３２、電力制御部３３、メモリアクセス部３４およびメモリ３５を有する。
ＲＦ部３２は、アンテナ３１を介して受信したファイルデータやファイル属性データなどの信号に復調などの処理を施してメモリアクセス部３４に出力する。
また、ＲＦ部３２は、メモリ３５から読み出したファイルデータや属性データなどの信号に変調などの処理を施してアンテナ３１に出力する。
電力制御部３３は、アンテナ３１を介して受信した信号による電磁結合などによって得られた電力（エネルギ）をメモリアクセス部３４等に供給する。
メモリアクセス部３４は、電力制御部３３から受けた電力によって駆動され、メモリ３５に対してのデータ書き込み動作および読み出し動作を行う。
メモリアクセス部３４の動作は、例えば、書込装置１１および端末装置１５によって制御される。
メモリ３５は、後述するファイルデータおよびファイル属性データなどのデータを記録する。  
メモリ３５は、記録データの消去を記録領域全体に対しての一括消去によって行われる例えば、スマートラベルやＥＥＰＲＯＭなどの記録媒体である。
【００２２】
図３は、図２に示す無線タグ１０のメモリ３５のメモリマップの構成を説明するための図である。
メモリ３５は、ＯＳ（Operating System）や、無線タグ１０の製造コード、バージョン、メモリ３５の記録領域のサイズ、当該記録領域へのアクセス単位などの情報が記録されている一部の記録領域を除き、外部からのアクセスが許可されている。
図３に示すように、メモリ３５の記録領域は、例えば、タグ管理領域１０１、ファイルデータ領域１０２およびファイルテーブル領域１０３を有する。
【００２３】
タグ管理領域１０１は、例えば、図６に示すメモリ３５の記録領域のアドレス空間の始端（先頭）アドレスから所定のアドレスにわたって規定されている。
タグ管理領域１０１は、無線タグ１０に固有のデータが記録されている。
ファイルデータ領域１０２は、上記アドレス空間において、タグ管理領域１０１とファイルテーブル領域１０３との間に規定されている。
ファイルデータ領域１０２は、タグ管理領域１０１に続く第１のアドレスＡから、メモリ３５のアドレス空間の第２のアドレスＢに向けて規定されている。
ファイルデータ領域１０２には、書込装置１１によって、第１のアドレスＡから第２のアドレスＢに向けて連続したアドレスに、図４に示すように、ＨＴＭＬの複数のファイルデータのファイル名データおよびファイルデータの実体が順に書き込まれる。
すなわち、ファイルデータ領域１０２内のファイル名領域１４１にファイル名データが記録され、ファイル領域１４２にファイルデータが記録される。
ここで、個々のファイル名データおよびファイルデータは、可変サイズのデータである。
ファイルデータ領域１０２のサイズは、記録されるファイルデータの数およびデータ量によって変動する。
【００２４】
ファイルデータ領域１０２は、ファイルデータを圧縮して得られた圧縮ファイルデータを記録する場合には、図５に示すように、圧縮ファイル領域１５３に当該圧縮ファイルデータを記録する。
この場合に、ファイル名領域１４１と圧縮ファイル領域１５３との間に記録サイズ領域１５１および圧縮種別領域１５２が規定される。
記録サイズ領域１５１には、圧縮ファイル領域１５３に記録された圧縮ファイルデータのサイズ（データ長）が記録される。
圧縮種別領域１５２には、上記圧縮ファイルデータの生成に用いられた圧縮方法の識別データが記録される。
圧縮手法としては、ランレングス法、ハフマン法、ＬＺ７７法、ＬＺ７８法、ブロックソート法、ＭＴＦ法、算術圧縮法、レンジコーダー法などが用いられる。
【００２５】
また、ファイルデータ領域１０２は、ショートカットの場合には、ファイル領域１４２にはファイルデータの実体を記録せず、ファイル名領域１４１にショートカットに係わるファイル名データを記録する。
【００２６】
ファイルテーブル領域１０３は、上記アドレス空間の第２のアドレスＢから第１のアドレスＡに向けて規定されている。
ファイルテーブル領域１０３には、ファイルテーブルが記録される。
図６は、図３に示すファイルテーブル領域１０３の詳細な構成を説明するための図である。
図６に示すように、ファイルテーブル領域１０３は、例えば、ファイル個数領域１１１、空き領域指示領域１１２、予約領域１１３、パリティ領域１１４、分類種別領域１１５、並びに単数または複数のファイル属性領域１２０＿ｎ（ｎは１以上の整数）を有する。  ファイルテーブル領域１０３では、例えば、メモリ３５のメモリ空間の末尾アドレスから順にパリティ領域１１４、予約領域１１３、空き領域指示領域１１２、ファイル個数領域１１１、分類種別領域１１５が規定されている。
また、第２のアドレスＢから第１のアドレスＡに向けて複数のファイル属性領域１２０＿ｎが順に規定されている。
なお、ファイルテーブル領域１０３内の領域１１１〜１１５および１２０＿ｎの各々は、固定サイズである。
すなわち、メモリ３５には、タグ管理領域１０１に続く第１のアドレスＡから第２のアドレスＢに向けて複数のファイルデータ等が順に記録され、当該複数のファイルデータにそれぞれ対応する複数のファイル属性データが第２のアドレスＢから第１のアドレスＡに向けて複数のファイル属性領域１２０＿ｎに順に記録される。
【００２７】
ファイル個数領域１１１は、ファイルデータ領域１０２に記録されているファイルデータの個数を示す。
なお、ファイルデータの実体ではなく、ファイル名データなどのファイルデータに関する情報をファイルデータ領域１０２に記録する場合にも、ファイル個数にカウントする。
空き領域指示領域１１２は、ファイルデータ領域１０２において、次に新たなファイルデータを書き込む先頭アドレスを示す。
予約領域１１３は、将来的に何らかのデータを記録するために予約された領域である。  パリティ領域１１４は、ファイル個数領域１１１、空き領域指示領域１１２および予約領域１１３の正当性を検証するためのパリティデータを記録する。
分類種別領域１１５は、個々の無線タグ１０に用途がある場合に、その用途に応じた分類を示すデータを記録する。
【００２８】
ファイル属性領域１２０＿ｎは、ファイルデータ領域１０２に記録された個々のファイルデータのそれぞれに対応したファイル属性データを記録する。
なお、ファイル属性領域１２０＿ｎは、ショートカットに関するものである場合には、ファイルデータ領域１０２に記録されているファイル名データに対応したファイル属性データを記録する。
図７は、図６に示すファイル属性領域１２０＿ｎの構成図である。
図７に示すように、ファイル属性領域１２０＿ｎは、例えば、ファイル位置指定領域１２１、ファイル種別領域１２２、ファイル作成時刻領域１２３、ファイル名サイズ領域１２４、ファイルサイズ・参照領域１２５、予約領域１２６およびパリティ領域１２７を有する。
ファイル位置指示領域１２１には、ファイル属性領域１２０＿ｎに対応するファイルデータ、あるいはファイル名データがファイルデータ領域１０２に記録されているアドレス（本発明の記録アドレス）を記録する。
【００２９】
ファイル種別領域１２２には、ファイルデータ領域１０２に記録されている対応するファイルデータの圧縮の有無、並びにファイル属性領域１２０＿ｎがショートカットに関するものであるか否かなどの種別を示す種別データを記録する。
ファイル作成時刻領域１２３には、ファイル属性領域１２０＿ｎに対応するファイルデータあるいはファイル名データがファイルデータ領域１０２に記録された時刻を示す時刻データを記録する。
ファイル名サイズ領域１２４には、ファイルデータ領域１０２に記録されているファイル名データのサイズ（データ長）を記録する。
ファイルサイズ・参照領域１２５には、ファイルデータ領域１０２に対応するファイルデータが記録されている場合には当該ファイルデータのサイズを記録する。
ファイルサイズ・参照領域１２５には、図５に示すように圧縮ファイル領域１５３に圧縮ファイルデータが記録されている場合には、圧縮前のファイルデータのサイズを記録する。
なお、前述したように、図５に示す記録サイズ領域１５１には、圧縮ファイルデータのサイズが記録される。これにより、端末装置１５は、ファイルサイズ・参照領域１２５および記録サイズ領域１５１から、圧縮ファイルデータの圧縮前後のサイズを知ることができ、圧縮ファイルデータの取り扱いに利用できる。
ファイルサイズ・参照領域１２５は、上記ショートカットである場合には、参照するファイルデータのファイル番号データ（本発明の参照データ）を記録する。当該ファイル番号データは、例えば、メモリ３５に最初に記録されるファイルデータに関して「１」を示し、その後記録されるファイルデータに関して順に１づつインクリメントした値を示す。
パリティ領域１２７は、ファイル位置指定領域１２１、ファイル種別領域１２２、ファイル作成時刻領域１２３、ファイル名サイズ領域１２４、ファイルサイズ・参照領域１２５および予約領域１２６のデータの正当性を検証するためのパリティデータを記録する。
【００３０】
〔書込装置１１〕
書込装置１１は、図３〜図７を基に上述したフォーマットで無線タグ１０のメモリ３５にデータを書き込む。
すなわち、書込装置１１は、図２に示す無線タグ１０のメモリ３５の図６に示す記録領域内のファイルデータ領域１０２内の第１のアドレスＡから、第２のアドレスＢに向けて複数の可変サイズのファイルデータおよびファイル名データを順に書き込む。
また、書込装置１１は、上記複数のファイルデータの各々に対応して規定され対応するファイルデータのファイルデータ領域１０２内の記録アドレスをそれぞれ示し固定サイズの複数のファイル属性データを第２のアドレスＢから第１のアドレスＡに向けて規定されたファイル属性領域１２０＿ｎに順に書き込む。
これにより、端末装置１５は、メモリ３５の記録領域内のファイル属性データが記録されているアドレスを、可変サイズのファイルデータ等の影響を受けずに特定できる。
また、上記記録領域内のファイルデータ等が記録されているアドレスは、図７に示すファイル位置指定領域１２１に記録されたアドレスから特定できる。
また、書込装置１１は図６に示すように、ファイルテーブル領域１０３内のファイル個数領域１１１にファイル個数データを記録し、ファイル属性領域１２０＿ｎのサイズは固定であるため、端末装置１５はファイルテーブル領域１０３を構成するアドレスを容易に特定できる。
また、書込装置１１は、ファイル名サイズ領域１２４にファイル名データのサイズを指定し、図４および図５に示すファイルデータ領域１０２内でのファイル名領域１４１のサイズを可変にすることで、ファイル名データのサイズをファイル名サイズ領域１２４のビット数によって規定される範囲内で自由に設定できる。例えば、書込装置１１は、ファイル名サイズ領域１２４を８ビットとした場合に、最大２５５バイトまでのファイル名データをファイルデータ領域１０２に書き込める。
そのため、書込装置１１は、例えば、端末装置１５の機種に応じて異なる「/HTML4.0/index.html 」や「 /cHTML/index.html」といった木構造のファイル名データをファイルデータ領域１０２に書き込むことができる。
また、上述したショートカットを用いることで、異なる複数のファイル名データに対して単数のファイルデータをファイルデータ領域１０２に書き込めばよく、メモリ３５の記録領域を効率的に利用できる。
【００３１】
図８は、図１に示す書込装置１１のハードウェア構成図である。
図８に示すように、書込装置１１は、例えば、インタフェース２１、ＲＦ部２２、アンテナ２３、メモリ２４および処理部２５を有し、これらがデータ線２０を介して接続されている。
インタフェース２１は、図１に示すコンピュータ１２との間でデータ授受を行う。
ＲＦ部２２は、アンテナ２３を介して無線タグ１０との間で無線によるデータ授受を行う。
メモリ２４は、処理部２５の処理を規定するプログラムＰＲＧ１、並びに処理部２５の処理に用いられる種々のデータを記録する。
処理部２５は、プログラムＰＲＧ１を基に、上述あるいは後述する書込装置１１の処理を統括的に制御する。
【００３２】
以下、書込装置１１の動作例を説明する。
なお、以下の動作例において、処理部２５と無線タグ１０との通信は、図８に示すＲＦ部２２およびアンテナ２３を介して行う。
また、処理部２５による無線タグ１０のメモリ３５への書き込みおよび読み出しは、処理部２５が無線タグ１０のメモリアクセス部３４に指示を出すことで行われる。
【００３３】
〔無線タグ１０の初期化動作〕
図９は、書込装置１１による無線タグ１０の初期化動作を説明するためのフローチャートである。
ステップＳＴ１：
書込装置１１の処理部２５は、ＲＦ部２２およびアンテナ２３を介して、無線タグ１０と無線通信が可能か否かを判断し、可能であると判断するとステップＳＴ２に進み、そうでない場合にはエラー処理を行う。
ステップＳＴ２：
処理部２５は、メモリ３５に記録されたタグデータを読み出す。
当該タグデータは、例えば、メモリ３５内の書き換え禁止領域に記録され、無線タグ１０のタグの製造コード、バージョン、メモリ３５の記録領域のサイズ、当該記録領域へのアクセス単位などの情報を含んでいる。
【００３４】
ステップＳＴ３：
処理部２５は、ステップＳＴ２で入力したタグデータを基に、図６に示すタグ管理領域１０１のサイズおよびフォーマットを決定する。
これにより、無線タグ１０の特性に応じてタグ管理領域１０１を規定できる。
そして、処理部２５は、無線タグ１０の図６に示すタグ管理領域１０１に所定のタグ管理データを書き込む。
ステップＳＴ４：
処理部２５は、図６に示す処理部２５の記録領域内の第２のアドレスＢから所定のサイズのファイルテーブル領域１０３を規定する。
ステップＳＴ５：
処理部２５は、ステップＳＴ４で規定したファイルテーブル領域１０３内の図６に示すファイル個数領域１１１、空き領域指示領域１１２、予約領域１１３、パリティ領域１１４および分類種別領域１１５の各々に初期データを書き込む。
【００３５】
ステップＳＴ６：
処理部２５は、ステップＳＴ５の書き込みが成功したか否かを判断し、成功した場合には処理を終了し、不成功の場合にはステップＳＴ７に進む。
ステップＳＴ７：
処理部２５は、ステップＳＴ５の書き込みが所定の再処理回数以下であるか否かを判断し、所定の再処理回数以下であると判断するとステップＳＴ５に戻り、そうでない場合にはエラー処理を行う。
【００３６】
〔ファイルデータ等の書き込み動作〕
図１０および図１１は、書込装置１１によるファイルデータ等の無線タグ１０への書き込み動作を説明するためのフローチャートである。
ステップＳＴ１１：
書込装置１１の処理部２５は、インタフェース２１を介してコンピュータ１２から書き込み指示と共に入力したファイル名データが有効であるか否かを判断し、有効であると判断するとステップＳＴ１２に進み、そうでない場合にはエラー処理を行う。
処理部２５は、例えば、識別子として「．ｈｔｍｌ」が付されていないファイル名を受けると、それを有効ではないと判断する。
【００３７】
ステップＳＴ１２：
処理部２５は、無線タグ１０のメモリ３５のファイルテーブル領域１０３の全ての図７に示すファイル属性領域１２０＿ｎのファイル位置指定領域１２１に記録されたアドレスを基に、図４および図５に示すファイルデータ領域１０２内のファイル名領域１４１に記録されたファイル名データを読み出す。
このとき、処理部２５は、図６に示す第２のアドレスＢと、ファイル個数領域１１１が示すファイル数と、ファイル属性領域１２０＿ｎのサイズ等を基に、ファイル属性領域１２０＿ｎ内のファイル位置指定領域１２１を特定する。
ステップＳＴ１３：
処理部２５は、ステップＳＴ１２で読み出したファイル名データのなかに、ステップＳＴ１１で指定されたファイル名データと同じものがあるか否かを判断し、同じものがないと判断するとステップＳＴ１４に進み、同じものがあると判断するとエラー処理を行う。
【００３８】
ステップＳＴ１４：
処理部２５は、無線タグ１０のメモリ３５の図６に示すファイル個数領域１１１に記録されたファイル数データが、例えば、図９に示す処理で得たタグデータによって規定される最多ファイル数未満であるか否かを判断し、最多ファイル数未満であると判断するとステップＳＴ１５に進み、そうでない場合にはエラー処理を行う。
ステップＳＴ１５：
処理部２５は、図８に示すインタフェース２１を介してコンピュータ１２から入力したファイルデータを、所定の圧縮手法で圧縮して圧縮ファイルデータを生成する。
ステップＳＴ１６：
処理部２５は、ステップＳＴ１５において生成した圧縮ファイルデータが、圧縮前のファイルデータよりサイズが小さいか否かを判断し、サイズが小さいと判断するとステップＳＴ１７に進み、そうでない場合にはステップＳＴ１８に進む。
【００３９】
ステップＳＴ１７：
処理部２５は、無線タグ１０のメモリ３５のファイルデータ領域１０２に記録するデータとしてステップＳＴ１５で生成した圧縮ファイルデータを選択する。
ステップＳＴ１８：
処理部２５は、無線タグ１０のメモリ３５のファイルデータ領域１０２に記録するデータとしてステップＳＴ１５の圧縮前のファイルデータを選択する。
【００４０】
ステップＳＴ１９：
処理部２５は、ステップＳＴ１７あるいはＳＴ１８で選択した圧縮ファイルデータあるいはファイルデータを無線タグ１０のファイルデータ領域１０２に記録する場合に必要な記録容量を計算する。
ステップＳＴ２０：
処理部２５は、無線タグ１０のメモリ３５の例えば図６に示すファイル個数領域１１１および空き領域指示領域１１２から読み出したファイル個数データおよびアドレスから、メモリ３５の空き容量を特定する。
ステップＳＴ２１：
処理部２５は、ステップＳＴ１９で計算した記録容量が、ステップＳＴ２０で特定した空き容量以下であるか否かを判断し、そうであると判断するとステップＳＴ２２に進み、そうでないと判断するとエラー処理を行う。
ステップＳＴ２２：
処理部２５は、圧縮前のファイルデータあるいは圧縮後のファイルデータ等を無線タグ１０のメモリ３５に書き込む。
処理部２５は、例えば、圧縮前のファイルデータをメモリ３５に書き込む場合に、メモリ３５の図６に示す空き領域指示領域１１２から読み出したアドレスから第２のアドレスＢに向けて、図４に示すように、先ずステップＳＴ１１で入力したファイル名データを書き込み、続いて圧縮前のファイルデータを書き込む。
一方、処理部２５は、例えば、圧縮ファイルデータを無線タグ１０のメモリ３５に書き込む場合に、メモリ３５の図６に示す空き領域指示領域１１２から読み出したアドレスから第２のアドレスＢに向けて、図５に示すように、先ずステップＳＴ１１で入力したファイル名データを書き込み、続いて記録サイズ領域１５１に圧縮ファイルデータのサイズを書き込み、続いて圧縮種別領域１５２に圧縮手法を書き込み、続いて圧縮ファイル領域１５３に圧縮ファイルデータを書き込む。
【００４１】
ステップＳＴ２３：
処理部２５は、ステップＳＴ２２の書き込みが成功したか否かを判断し、成功した場合にはステップＳＴ２５に進み、不成功の場合にはステップＳＴ２４に進む。
ステップＳＴ２４：
処理部２５は、ステップＳＴ２２の書き込みが所定の再処理回数以下であるか否かを判断し、所定の再処理回数以下であると判断するとステップＳＴ２２に戻り、そうでない場合にはエラー処理を行う。
【００４２】
ステップＳＴ２５：
処理部２５は、ステップＳＴ２２でファイルデータ領域１０２に書き込んだファイルデータに対応するファイル属性データを図６に示すファイル属性領域１２０＿ｎに書き込む。
このとき、処理部２５は、図６に示す第２のアドレスＢと、ファイル個数領域１１１から読み出したファイル個数データと、ファイル属性領域１２０＿ｎのサイズ等とを基に、メモリ３５内の次にファイル属性領域１２０＿ｎを書き込むアドレスを計算する。
【００４３】
ステップＳＴ２６：
処理部２５は、ステップＳＴ２５の書き込みが成功したか否かを判断し、成功した場合には処理を終了し、不成功の場合にはステップＳＴ２７に進む。
ステップＳＴ２７：
処理部２５は、ステップＳＴ２５の書き込みが所定の再処理回数以下であるか否かを判断し、所定の再処理回数以下であると判断するとステップＳＴ２５に戻り、そうでない場合にはエラー処理を行う。
【００４４】
以上説明したように、書込装置１１によれば、可変サイズのファイル名データおよびファイルデータの組を図６に示す第１のアドレスから第２のアドレスに向けて順に書き込み、それに対応する固定サイズのファイル属性データを第２のアドレスから第１のアドレスに順に記録する。
そのため、無線タグ１０のメモリ３５の記録領域を、ファイルデータ等の不確定な可変サイズの影響を受けずに、常に効率的に利用できる。これにより、無線タグ１０のメモリ３５に記録するファイルデータのデータ量を大きくできる。
また、ファイル属性データは第２のアドレスＢから第１のアドレスＡに向けて記録され、しかも固定サイズであるため、後述する端末装置１５は、従来技術で説明したコンピュータなどに採用される複雑なファイルシステムを使用しなくても、第２のアドレスＢおよびファイル属性データの固定サイズとを基に、ファイル属性データのアドレスを簡単な処理で特定し、当該特定したファイル属性データを基にファイルデータのアドレスを簡単な処理で特定できる。
そのため、データ配信システム１によれば、従来に比べて、ファイル管理に伴う処理量、並びにそれに必要なデータ量を削減できる。
また、上述した実施形態では、図４および図５に示すファイル名領域１４１を可変サイズにしたことで、複数の端末装置１５のそれぞれが規定する固有のファイル名データに容易に対応できる。
また、データ配信システム１によれば、書込装置１１が、ファイルデータを圧縮して無線タグ１０のメモリ３５に書き込むことで、端末装置１５がメモリ３５からファイルデータを短時間で読み出すことができる。
【００４５】
〔ショートカットを書き込む場合の動作例〕
図１２および図１３は、書込装置１１によるショートカットの無線タグ１０への書き込み動作を説明するためのフローチャートである。
ステップＳＴ３１：
書込装置１１の処理部２５は、インタフェース２１を介してコンピュータ１２からショートカットの書き込み指示と共に入力したショートカットで使用されるファイル名データ（本発明の第２の識別データ）が有効であるか否かを判断し、有効であると判断するとステップＳＴ３２に進み、そうでない場合にはエラー処理を行う。
【００４６】
ステップＳＴ３２：
処理部２５は、無線タグ１０のメモリ３５のファイルテーブル領域１０３の全ての図７に示すファイル属性領域１２０＿ｎのファイル位置指定領域１２１に記録されたアドレスを基に、図４および図５に示すファイルデータ領域１０２内のファイル名領域１４１に記録されたファイル名データを読み出す。
このとき、処理部２５は、図６に示す第２のアドレスＢと、ファイル個数領域１１１が示すファイル数と、ファイル属性領域１２０＿ｎのサイズ等を基に、ファイル属性領域１２０＿ｎ内のファイル位置指定領域１２１を特定する。
【００４７】
ステップＳＴ３３：
処理部２５は、インタフェース２１を介してコンピュータ１２からショートカットの書き込み指示と共に入力したショートカットの対象となる実体であるファイルデータのファイル名データ（本発明の第１の識別データ）が、ステップＳＴ３２で読み出されたファイル名データのなかに存在するか否かを判断し、存在すると判断するとステップＳＴ３４に進み、存在しないと判断するとエラー処理を行う。
ステップＳＴ３４：
処理部２５は、ステップＳＴ３２で読み出したファイル名データのなかに、ステップＳＴ１１で指定されたファイル名データと同じものがあるか否かを判断し、同じものがないと判断するとステップＳＴ３５に進み、同じものがあると判断するとエラー処理を行う。      
【００４８】
ステップＳＴ３５：
処理部２５は、無線タグ１０のメモリ３５の図６に示すファイル個数領域１１１に記録されたファイル数データが、例えば、図９に示す処理で得たタグデータによって規定される最多ファイル数未満であるか否かを判断し、最多ファイル数未満であると判断するとステップＳＴ３６に進み、そうでない場合にはエラー処理を行う。
ステップＳＴ３６：
処理部２５は、上記ショートカットに係わるファイル名データを無線タグ１０のファイルデータ領域１０２に記録する場合に必要な記録容量を計算する。
ステップＳＴ３７：
処理部２５は、無線タグ１０のメモリ３５の例えば図６に示すファイル個数領域１１１および空き領域指示領域１１２から読み出したファイル個数データおよびアドレスから、メモリ３５の空き容量を特定する。
ステップＳＴ３８：
処理部２５は、ステップＳＴ３６で計算した記録容量が、ステップＳＴ３７で特定した空き容量以下であるか否かを判断し、そうであると判断するとステップＳＴ３９に進み、そうでないと判断するとエラー処理を行う。
ステップＳＴ３９：
処理部２５は、ショートカットに係わるファイル名データを無線タグ１０のメモリ３５に書き込む。
ステップＳＴ４０：
処理部２５は、ステップＳＴ３９の書き込みが成功したか否かを判断し、成功した場合にはステップＳＴ４２に進み、不成功の場合にはステップＳＴ４１に進む。
ステップＳＴ４１：
処理部２５は、ステップＳＴ３９の書き込みが所定の再処理回数以下であるか否かを判断し、所定の再処理回数以下であると判断するとステップＳＴ３９に戻り、そうでない場合にはエラー処理を行う。
【００４９】
ステップＳＴ４２：
処理部２５は、ステップＳＴ３９でファイルデータ領域１０２に書き込んだファイル名データに対応するファイル属性データを図６に示すファイル属性領域１２０＿ｎに書き込む。
このとき、処理部２５は、図６に示す第２のアドレスＢと、ファイル個数領域１１１から読み出したファイル個数データと、ファイル属性領域１２０＿ｎのサイズ等とを基に、メモリ３５内の次にファイル属性領域１２０＿ｎを書き込むアドレスを計算する。
【００５０】
ステップＳＴ４３：
処理部２５は、ステップＳＴ４２の書き込みが成功したか否かを判断し、成功した場合には処理を終了し、不成功の場合にはステップＳＴ４４に進む。
ステップＳＴ４４：
処理部２５は、ステップＳＴ４２の書き込みが所定の再処理回数以下であるか否かを判断し、所定の再処理回数以下であると判断するとステップＳＴ４２に戻り、そうでない場合にはエラー処理を行う。
【００５１】
上述したように、書込装置１１によれば、無線タグ１０のメモリ３５に記録した単数のファイルデータの実体に複数のファイル名データを付けることができる。
そのため、メモリ３５に、複数のファイル名データのそれぞれに対応した複数のファイルデータを記録する必要がなく、メモリ３５の記録領域を効率的に利用できる。
このことは、端末装置１５の機種によって、同じファイルデータに付すファイル名データが異なる場合に効果的である。
【００５２】
〔端末装置１５〕
端末装置１５は、図３〜図７を基に上述したフォーマットで無線タグ１０のメモリ３５に書き込まれたデータを読み出す。
すなわち、端末装置１５は、無線タグ１０のメモリ３５の図６に示すファイル属性領域１２０＿ｎに記録された固定サイズのファイル属性データを、当該固定サイズおよび図６に示す第２のアドレスＢ等を基に読み出す。
続いて、端末装置１５は、上記読み出したファイル属性データ内に規定されたアドレスを基に、ファイルデータ領域１０２に記録されたファイルデータあるいは圧縮ファイルデータを読み出す。
すなわち、端末装置１５は、メモリ３５の記録領域内のファイル属性データが記録されているアドレスを、可変サイズのファイルデータ等の影響を受けずに特定できる。
また、上記記録領域内のファイルデータ等が記録されているアドレスは、図７に示すファイル位置指定領域１２１に記録されたファイル属性データを構成するアドレスから特定できる。
【００５３】
図１４は、図１に示す端末装置１５のハードウェア構成図である。
図１４に示すように、端末装置１５は、例えば、ディスプレイ４１、ＲＦ部４２、アンテナ４３、メモリ４４および処理部４５を有し、これらがデータ線４０を介して接続されている。
ディスプレイ４１は、処理部４５からの表示信号を基に、無線タグ１０に記録されたファイルデータに応じた画像（例えば、広告画像）を表示する。
ＲＦ部４２は、アンテナ４３を介して無線タグ１０との間で無線によるデータ授受を行う。
メモリ４４は、処理部４５の処理を規定するプログラムＰＲＧ２、並びに処理部４５の処理に用いられる種々のデータを記録する。
処理部４５は、プログラムＰＲＧ２を基に、上述あるいは後述する端末装置１５の処理を統括的に制御する。
【００５４】
以下、端末装置１５による無線タグ１０からの読み出し動作例を説明する。
図１５および図１６は、図１および図１４に示す端末装置１５による無線タグ１０からの読み出し動作例を説明する。
なお、以下に示す動作例において、図１４に示す端末装置１５の処理部４５は、ＲＦ部４２およびメモリ４４を介して、無線タグ１０のメモリ３５からデータを読み出す。
また、処理部４５は、無線タグ１０のメモリアクセス部３４に対して読み出し指示を出す。
ステップＳＴ５１：
図１４に示す端末装置１５の処理部４５は、例えば、プログラムＰＲＧ２の実行に応じて、予め決められたファイル名データと共に読み出し指示を受ける。
処理部４５は、当該ファイル名データが有効であるか否かを判断し、有効であると判断するとステップＳＴ５２に進み、そうでない場合にはエラー処理を行う。
処理部４５は、例えば、識別子として「．ｈｔｍｌ」が付されていないファイル名を受けると、それを有効ではないと判断する。
【００５５】
ステップＳＴ５２：
処理部４５は、無線タグ１０のメモリ３５のファイルテーブル領域１０３の全ての図７に示すファイル属性領域１２０＿ｎのファイル位置指定領域１２１に記録されたアドレスを基に、図４および図５に示すファイルデータ領域１０２内のファイル名領域１４１に記録されたファイル名データを読み出す。
このとき、処理部４５は、図６に示すファイル個数領域１１１が示すファイル数と、ファイル属性領域１２０＿ｎのサイズとを基に、ファイル属性領域１２０＿ｎ内のファイル位置指定領域１２１を特定する。
ステップＳＴ５３：
処理部４５は、ステップＳＴ５２で読み出したファイル名データのなかに、ステップＳＴ５１で受けたファイル名データと同じものがあるか否かを判断し、同じものがあると判断するとステップＳＴ５４に進み、同じものがないと判断するとエラー処理を行う。
【００５６】
ステップＳＴ５４：
処理部４５は、ステップＳＴ５１で受けたファイル名データに対応するファイル属性データを、無線タグ１０のメモリ３５の図６に示すファイル属性領域１２０＿ｎから読み出す。
ステップＳＴ５５：
処理部４５は、ステップＳＴ５４の読み出しが成功したか否かを判断し、成功した場合にはステップＳＴ５７に進み、不成功の場合にはステップＳＴ５６に進む。
ステップＳＴ５６：
処理部４５は、ステップＳＴ５４の読み出しが所定の再処理回数以下であるか否かを判断し、所定の再処理回数以下であると判断するとステップＳＴ５４に戻り、そうでない場合にはエラー処理を行う。
【００５７】
ステップＳＴ５７：
処理部４５は、ステップＳＴ５４で読み出した図７に示すファイル属性データにおける図７に示すファイル種別領域１２２から読み出したファイル種別データを基に、ステップＳＴ５１で指定されたファイル名データがショートカットに関するものであるか否かを判断し、ショートカットに関するものであると判断するとステップＳＴ５４に戻り、そうでない場合には、ステップＳＴ５８に進む。
処理部４５は、ステップＳＴ５４に戻ると、ステップＳＴ５４で前回読み出したファイル属性データにおける図７に示すファイルサイズ・参照領域１２５から読み出したファイル番号（参照データ）に対応するファイルデータ（ショートカットの実体）のファイル属性データを無線タグ１０のメモリ３５から読み出す。
ステップＳＴ５８：
処理部４５は、図１４に示すメモリ４４の一部を構成するバッファメモリに、ファイルデータを無線タグ１０から読み出すための記録容量を確保する。
ステップＳＴ５９：
処理部４５は、ステップＳＴ５８においてバッファメモリに記録容量を確保できたか否かを判断し、確保できたと判断するとステップＳＴ６０に進み、そうでない場合にはエラー処理を行う。
【００５８】
ステップＳＴ６０：
処理部４５は、ステップＳＴ５４で読み出したファイル属性データにおける図７に示すファイル位置指定領域１２１から読み出されたファイルデータ領域１０２内のアドレスからファイルデータを読み出してメモリ４４に記録する。
ステップＳＴ６１：
処理部４５は、ステップＳＴ６０の読み出しが成功したか否かを判断し、成功したと判断するとステップＳＴ６３に進み、そうでない場合にはステップＳＴ６２に進む。
ステップＳＴ６２：
処理部４５は、ステップＳＴ６０の読み出しが行われた回数が所定の再処理回数以下であるか否かを判断し、所定の再処理回数以下であると判断するとステップＳＴ６０に戻り、そうでない場合にはエラー処理を行う。
【００５９】
ステップＳＴ６３：
処理部４５は、ステップＳＴ６０で無線タグ１０のメモリ３５から読み出したファイルデータが圧縮ファイルデータであるか否かを判断し、圧縮ファイルデータであると判断するとステップＳＴ６４に進み、そうでない場合には処理を終了する。その後、処理部４５は、ユーザからの指示に応じて、メモリ４４から読み出したファイルデータを再生し、それに応じた画像をディスプレイ４１に表示する。
ステップＳＴ６４：
処理部４５は、ステップＳＴ６０において圧縮ファイルデータと共に図５に示す圧縮種別領域１５２から読み出した圧縮種別が示す圧縮方法に対応する伸張方法で、ステップＳＴ６０で読み出した圧縮データを伸張する。
ステップＳＴ６５：
処理部４５は、ステップＳＴ６４の伸張処理が成功したか否かを判断し、成功したと判断すると処理を終了し、そうでない場合にはエラー処理を行う。
【００６０】
以上説明したように、書込装置１１によれば、無線タグ１０のメモリ３５に書き込まれたファイルデータおよびファイル属性データを適切に無線により読み出すことができる。
データ配信システム１では、無線タグ１０のメモリ３５では、ファイル属性データは第２のアドレスＢから第１のアドレスＡに向けて記録され、しかも固定サイズである。
そのため、端末装置１５は、従来技術で説明したコンピュータなどに採用される複雑なファイルシステムを使用しなくても、第２のアドレスＢおよびファイル属性データの固定サイズとを基に、ファイル属性データのアドレスを簡単な処理で特定し、当該特定したファイル属性データを基にファイルデータのアドレスを簡単な処理で特定できる。これにより、メモリ３５からのデータ読み出しに伴う端末装置１５の処理量を少なくできる。
また、端末装置１５によれば、メモリ３５からファイルデータを読み出した後に、それに対応するファイル属性データを読み出すので、ファイルデータの読み出し中に当該読み出しが失敗した場合でも、ファイル属性データは読み出されていないため、ファイル属性データを基にファイルデータが不適切に処理されることを回避できる。
また、端末装置１５によれば、読み出し要求で用いるファイル名データが無線タグ１０のメモリ３５においてショートカットとして規定されている場合でも、それに対応するファイルデータを適切に読み出すことができる。
【００６１】
本発明は上述した実施形態には限定されない。
例えば、上述した実施形態では、本発明の記録データとして、ＨＴＭＬのファイルデータを例示したが、当該記録データは、ＨＴＭＬのファイルデータ以外のデータであってもよい。
また、上述した実施形態では、書込装置１１および端末装置１５と、無線タグ１０との間のデータ授受を無線で行う場合を例示したが、当該データ授受を有線で行ってもよい。
また、上述した実施形態では、書込装置１１および端末装置１５が書き込みおよび読み出しを行う記録媒体として、無線タグ１０のメモリ３５を例示したが、それ以外のコンピュータや通信機器で使用されるメモリに対する書き込みおよび読み出しに対して本発明を適用してもよい。
【００６２】
また、上述した実施形態では、図３に示す無線タグ１０のメモリ３５内の先頭アドレス側に第１のアドレスＡを規定し、末尾アドレス側に第２のアドレスＢを規定したが、本発明では、メモリ３５内の先頭アドレス側に第２のアドレスＢを規定し、末尾アドレス側に第１のアドレスＡを規定してもよい。
【００６３】
また、上述した実施形態では、図５に示すように、ファイルデータ領域１０２の一部に圧縮種別領域１５２を規定したが、ファイル属性領域１２０＿ｎの一部に圧縮種別領域１５２を規定してもよい。
また、本発明では、図５に示す記録サイズ領域１５１をファイル属性領域１２０＿ｎの一部として規定してもよいし、図７に示すファイルサイズ領域１２５をファイルデータ領域１０２の一部として規定してもよい。
【産業上の利用可能性】
【００６４】
本発明は、記録媒体の記録領域の有効利用を図るシステムに適用可能である。
【図面の簡単な説明】
【００６５】
【図１】図１は、本発明の実施形態に係わるデータ配信システムの全体構成図である。
【図２】図２は、図１に示す無線タグの構成図である。
【図３】図３は、図２に示す無線タグのメモリのメモリマップ構成を説明するための図である。
【図４】図４は、圧縮されていないファイルデータを記録する場合の図３に示すファイルデータ領域を説明するための図である。
【図５】図５は、圧縮ファイルデータを記録する場合の図３に示すファイルデータ領域を説明するための図である。
【図６】図６は、図４に示すファイルテーブル領域を説明するための図である。
【図７】図７は、図６に示すファイル属性領域を説明するための図である。
【図８】図８は、図１に示す書込装置のハードウェア構成図である。
【図９】図９は、図１および図８に示す書込装置による無線タグの初期化動作を説明するためのフローチャートである。
【図１０】図１０は、図１および図８に示す書込装置による無線タグへのファイルデータ等の書き込み動作を説明するためのフローチャートである。
【図１１】図１１は、図１および図８に示す書込装置による無線タグへのファイルデータ等の書き込み動作を説明するための図１０の続きのフローチャートである。
【図１２】図１２は、図１および図８に示す書込装置による無線タグへのショートカットの書き込み動作を説明するためのフローチャートである。
【図１３】図１３は、図１および図８に示す書込装置による無線タグへのショートカットの書き込み動作を説明するための図１２の続きのフローチャートである。
【図１４】図１４は、図１に示す端末装置のハードウェア構成図である。
【図１５】図１５は、図１および図１４に示す端末装置による無線タグからの読み出し動作を説明するためのフローチャートである。
【図１６】図１６は、図１および図１４に示す端末装置による無線タグからの読み出し動作を説明するための図１５の続きのフローチャートである。
【符号の説明】
【００６６】
１…データ配信システム、１０…無線タグ、１１…書込装置、１２…コンピュータ、１５…端末装置、３１…アンテナ、３２…ＲＦ部、３３…電力制御部、３４…メモリアクセス部、３５…メモリ、２１…インタフェース、２２…ＲＦ部、２３…アンテナ、２４…メモリ、２５…処理部、４１…ディスプレイ、４２…ＲＦ部、４３…アンテナ、４４…メモリ、４５…処理部
【図１】
2005063038.tif 000003
【図２】
2005063038.tif 000004
【図３】
2005063038.tif 000005
【図４】
2005063038.tif 000006
【図５】
2005063038.tif 000007
【図６】
2005063038.tif 000008
【図７】
2005063038.tif 000009
【図８】
2005063038.tif 000010
【図９】
2005063038.tif 000011
【図１０】
2005063038.tif 000012
【図１１】
2005063038.tif 000013
【図１２】
2005063038.tif 000014
【図１３】
2005063038.tif 000015
【図１４】
2005063038.tif 000016
【図１５】
2005063038.tif 000017
【図１６】
2005063038.tif 000018